(57)【要約】【課題】経済面の欠点を解決した使い捨て方式生物センサーを提供すること。【解決手段】使い捨て方式生物センサーにおいて、検査物滴下口の下部に設け、この反応酵素区域の一端は電気回路板上の作業、参考電極に連結する反応酵素区域と、作業、参考電極と電気接続するマイクロプロセッサーと、起動スイッチ、マイクロプロセッサーと電気接続する起動スイッチと、利用者はこの起動スイッチを押すことにより、信号をマイクロプロセッサーに伝送し、作業、参考電極より伝送された信号は、マイクロプロセッサーにて演算処理を行ない、マイクロプロセッサーと電気接続し、変換後のデジタル信号を表示する表示装置とを具備した。【選択図】図２
0003120376.tif 000002
【実用新案登録請求の範囲】
【請求項１】
被測定物に含まれる生化学物質の含有量を検査するものであって、本体より構成し、本体の片側に検査物滴下口を設けることを可能とする一種の使い捨て方式生物センサーにおいて、
検査物滴下口の下部に設け、この反応酵素区域の一端は電気回路板上の作業、参考電極に連結する反応酵素区域と、
作業、参考電極と電気接続するマイクロプロセッサーと、
起動スイッチ、マイクロプロセッサーと電気接続する起動スイッチと、
利用者はこの起動スイッチを押すことにより、信号をマイクロプロセッサーに伝送し、作業、参考電極より伝送された信号は、マイクロプロセッサーにて演算処理を行ない、
マイクロプロセッサーと電気接続し、変換後のデジタル信号を表示する表示装置とを具備したことを特徴とする、
使い捨て方式生物センサー。
【請求項２】
前記表示装置は液晶表示装置であることを特徴とする、請求項１記載の使い捨て方式生物センサー。
【請求項３】
前記表示装置はＬＥＤ表示装置であることを特徴とする、請求項１記載の使い捨て方式生物センサー。
【請求項４】
被測定物に含まれる生化学物質の含有量を検査するものであって、本体より構成し、本体の片側に検査物滴下口を設けることを可能とする一種の使い捨て方式生物センサーにおいて、
反応酵素区域、検査物滴下口の下部に設け、この反応酵素区域の一端は電気回路板上の作業、参考電極に連結する反応酵素区域と、
作業、参考電極と電気接続するマイクロプロセッサーと、
起動スイッチ、マイクロプロセッサーと電気接続する起動スイッチと、
利用者はこの起動スイッチを押すことにより、信号をマイクロプロセッサーに伝送し、作業、参考電極より伝送された信号は、マイクロプロセッサーにて演算処理を行ない、
マイクロプロセッサーと電気接続するメモリ装置と、
マイクロプロセッサーと電気接続し、変換後のデジタル信号を表示する表示装置とを具備したことを特徴とする、
使い捨て方式生物センサー。
【請求項５】
前記表示装置は液晶表示装置であることを特徴とする、請求項４記載の使い捨て方式生物センサー。
【請求項６】
前記表示装置はＬＥＤ表示装置であることを特徴とする、請求項４記載の使い捨て方式生物センサー。
【考案の詳細な説明】
【技術分野】
【０００１】
本考案は特に一種の電極試験片と検査装置を設ける生物化学センサーに関わるもので、血液など人間の体液により、人体の生物情報、化学物質を検査し、検査装置の表示装置または外付け表示装置より検査値をただちに見ることができる使い捨て方式生物センサーに関するものである。
【背景技術】
【０００２】
近年、経済の発展および現代文明に伴い、糖尿病、高血圧、高脂血症、痛風などの現代文明病(慢性病とも言う)も我々の生活に接近しつつある。そして、検討に大きい脅威を与えている。このため、日頃の食事管理や、適宜に運動をするほか、医療機関に赴き、健康診断を受けて、自身の健康状況を把握しなければならない。在宅介護の観念がだんだん高まり、快速、廉価で、専業者による操作が不要、在宅のまま自己検知できる製品も増えている。その中で、血糖測定器、電子検温計、電子式血圧計、コレステロール測定器等の医療計器を用いることで、利用者は自分の健康状態を知りたいとき、時間とお金をかけてわざわざ医療施設に赴き、医療関係者協力のもとで、測定する必要がなくなる。手持ちの医療計器があれば、いずでも、どこでも自分からだ健康状態を把握できて、病気の悪化は避けられる。
【０００３】
図１に示すものは、公知技術の体液（血液など）の生物検査装置で、分離式化学生物検査装置である。生物センサーおよび使い捨て方式電極試験片より構成する。中華民国特許公告番号５７３７３５号において、その電極試験片は、以下の部品を含む。
【０００４】
電極絶縁基板：その同一面に両極式の電極系統を設ける。
電気絶縁層：電極系統上に覆い、反応区域とセンサーに連結する正負極コネクタを仕切る。
【０００５】
反応フィルムを反応区域に全部塗布し、プラスチック網を反応区域上部に覆い、反応区域を開けたテープにより、プラスチック網を固定する。
血液検査をするとき、前記の電極試験片を生物センサーに挿入した後、被測定者より採血を行い、被測定者の血液を電極試験片の電極反応酵素区域に取り付ける。生物センサーは電圧出力装置より、外部電圧を印加し被測定物の電気化学反応による電位、抵抗または電流変化の演算処理を実行し、被測定物の血糖(glucose)、コレステロール総量(total cholesterol)、高密度リポタンパク質(High density lipoprotein)、尿酸(uric acid)などの生化学数値の信号変換を行った上、表示させる。
【考案の開示】
【考案が解決しようとする課題】
【０００６】
しかしながら、前記の公知技術の生物センサーは、高価であることのほかに、使用する電極試験片の反応酵素もそれぞれの使用期限がある。コレステロール値などを検査する利用者にとって、コレステロールは通常、１カ月乃至更に長い間隔期間にしか検査する必要がない。このため、センサーおよび電極試験片の装備は利用者にとって、極めて大きい負担となる。
【課題を解決するための手段】
【０００７】
本願の第１考案は、被測定物に含まれる生化学物質の含有量を検査するものであって、本体より構成し、本体の片側に検査物滴下口を設けることを可能とする一種の使い捨て方式生物センサーにおいて、検査物滴下口の下部に設け、この反応酵素区域の一端は電気回路板上の作業、参考電極に連結する反応酵素区域と、作業、参考電極と電気接続するマイクロプロセッサーと、起動スイッチ、マイクロプロセッサーと電気接続する起動スイッチと、利用者はこの起動スイッチを押すことにより、信号をマイクロプロセッサーに伝送し、作業、参考電極より伝送された信号は、マイクロプロセッサーにて演算処理を行ない、マイクロプロセッサーと電気接続し、変換後のデジタル信号を表示する表示装置とを具備したことを特徴とする、使い捨て方式生物センサーを提供する。
【０００８】
本願の第２考案は、前記表示装置は液晶表示装置であることを特徴とする、前記第１考案に記載の使い捨て方式生物センサーを提供する。
【０００９】
本願の第３考案は、前記表示装置はＬＥＤ表示装置であることを特徴とする、前記第１考案に記載の使い捨て方式生物センサーを提供する。
【００１０】
本願の第４考案は、被測定物に含まれる生化学物質の含有量を検査するものであって、本体より構成し、本体の片側に検査物滴下口を設けることを可能とする一種の使い捨て方式生物センサーにおいて、反応酵素区域、検査物滴下口の下部に設け、この反応酵素区域の一端は電気回路板上の作業、参考電極に連結する反応酵素区域と、作業、参考電極と電気接続するマイクロプロセッサーと、起動スイッチ、マイクロプロセッサーと電気接続する起動スイッチと、利用者はこの起動スイッチを押すことにより、信号をマイクロプロセッサーに伝送し、作業、参考電極より伝送された信号は、マイクロプロセッサーにて演算処理を行ない、マイクロプロセッサーと電気接続するメモリ装置と、マイクロプロセッサーと電気接続し、変換後のデジタル信号を表示する表示装置とを具備したことを特徴とする、使い捨て方式生物センサーを提供する。
【００１１】
本願の第５考案は、前記表示装置は液晶表示装置であることを特徴とする、前記第４考案に記載の使い捨て方式生物センサーを提供する。
【００１２】
本願の第６考案は、前記表示装置はＬＥＤ表示装置であることを特徴とする、前記第４考案に記載の使い捨て方式生物センサーを提供する。
【考案の効果】
【００１３】
本考案は、前記の生物センサーおよび使い捨て方式電極試験片における経済面の欠点を解決するため、一種の電極試験片と検査装置を合わせて設けた使い捨て方式生物センサーを提供することができる。
本考案は簡単な使い捨て方式生物センサーにより、直接的に又は間接的に、表示装置に接続しておくことで、被測定者は即時に検査値を見ることができて、より直接、より経済的、かつ、有効な検査をすることができる。
【考案を実施するための最良の形態】
【００１４】
以降に図面を参照しながら本考案にに係る実施例について説明する。
【実施例１】
【００１５】
図２に示すものは、本考案実施例１の概略図である。本考案の使い捨て方式生物センサーは、主に本体１０より構成する。本体１０の片側に測定物滴下口１２を設け、測定物滴下口１２の下部に反応酵素区域１３を設ける。反応酵素区域１３の一端は電気回路板１５上に取り付ける作業参考電極１４を設ける。作業、参考電極１４はマイクロプロセッサー１６と電気接続する。マイクロプロセッサー１６は、本体１０上方の起動スイッチ１７と電気接続する。利用者により起動スイッチ１７を押すことにより、電気信号をマイクロプロセッサー１６に伝送される。マイクロプロセッサー１６は作業、参考電極１４の電気信号の演算を行った後、演算結果のデジタル信号を液晶表示装置２０に表示する。
【実施例２】
【００１６】
図３に示すものは、本考案実施例２の概略図である。本考案の使い捨て方式生物センサーは、主に本体１０より構成する。本体１０の片側に測定物滴下口１２を設け、測定物滴下口１２の下部に反応酵素区域１３を設ける。反応酵素区域１３の一端は電気回路板１５上に取り付ける作業参考電極１４を設ける。作業、参考電極１４はマイクロプロセッサー１６と電気接続する。マイクロプロセッサー１６は、本体１０上方の起動スイッチ１７と電気接続する。利用者は起動スイッチ１７を押すことにより、電気信号をマイクロプロセッサー１６に伝送される。マイクロプロセッサー１６は作業、参考電極１４より伝送された電気信号の演算を行った後、演算結果のデジタル信号をLED表示装置３０に表示する。
【実施例３】
【００１７】
図４に示すものは、本考案実施例３の概略図である。本考案の使い捨て方式生物センサーは、主に本体１０より構成する。本体１０の片側に測定物滴下口１２を設け、測定物滴下口１２の下部に反応酵素区域１３を設ける。反応酵素区域１３の一端は電気回路板１５上に取り付ける作業参考電極１４を設ける。作業、参考電極１４はマイクロプロセッサー１６と電気接続する。マイクロプロセッサー１６は本体１０上方の起動スイッチ１７と電気接続する。利用者は起動スイッチ１７を押すことにより、信号をマイクロプロセッサー１６に伝送され、作業、参考電極１４よりの信号はマイクロプロセッサー１６にて、変換を行った後、変換後の信号をメモリ装置４０に保存する。利用者はインターフェース(USB、IEEE１３９４など)１８により、本体１０を外部表示装置５０に接続する。図５に示すとおり、利用者は本体１０を電子装置のインターフェース１８に接続することにより、コンピュータ、携帯型情報端末（PDA）などの電子装置より表示させる。
【００１８】
前記のとおり、本考案は簡単な使い捨て方式生物センサーにより、直接または間接的にて、表示装置に接続しておく、被測定者は即時に検査値を見ることができ、より直接、より経済的、かつ、有効な検査を提供できる。
以上の説明は本考案の好ましい実施例であり、本考案実施の範疇に制限を加わるものではない。よって、本考案の請求範囲による等効果変化または修飾は、本考案の範囲に含まれるものとする。
【図面の簡単な説明】
【００１９】
【図１】公知技術の生物センサーおよび電極試験片使用ときの概略図である。
【図２】本考案の実施例１における概略図である。
【図３】本考案の実施例２における概略図である。
【図４】本考案の実施例３における概略図である。
【図５】本考案のあらたな実施例における概略図である。
【符号の説明】
【００２０】
１０        本体
１２        検査物滴下口
１３        反応酵素区域
１４        作業、参考電極
１５        電気回路板
１６        マイクロプロセッサー
１７        起動スイッチ
１８        インターフェース
２０        液晶表示装置
３０        LED表示装置
４０        メモリ装置
５０        外部表示装置
【図１】
0003120376.tif 000003
【図２】
0003120376.tif 000004
【図３】
0003120376.tif 000005
【図４】
0003120376.tif 000006
【図５】
0003120376.tif 000007